(57)【要約】      （修正有）【課題】表示を有効に活用でき、プレーヤにとって遊び心等の心理的な影響を与え、ゴルフを、プレーしながらプレー以外で楽しむことのできるゴルフボールマーカとすること。【解決手段】グリーン上でプレーする場合、マーカ１のセット、マーカの取除き操作をすることになるが、このあいだ、本人あるいは一緒にプレーするプレーヤは、マーカ１になされているプレーヤの心理に影響を与えるブラックユーモア的な表示４を読み取ることが出来、これによって、プレーヤの心が和んでリラックスしたプレーができたりすることができる。【選択図】図１
0003113395.tif 000002
【実用新案登録請求の範囲】
【請求項１】
平板状に形成されたゴルフボールマーカにおいて、プレーヤの心理に影響を与える表示が施されていることを特徴とするゴルフボールマーカ。
【請求項２】
請求項１において、前記表示は、プレーヤを和ませるものであることを特徴とするゴルフボールマーカ。
【請求項３】
請求項１において、前記表示は、プレーヤの集中力を高めるものであることを特徴とするゴルフボールマーカ。
【請求項４】
請求項１において、前記表示は、他のプレーヤの集中力を低下させるものであることを特徴とするゴルフボールマーカ。
【請求項５】
請求項１乃至４の何れか一つにおいて、マーカは、帽子や衣服に設けられる取り付け具に着脱自在に取り付けられる構成であることを特徴とするゴルフボールマーカ。
【請求項６】
請求項５において、取付け具にもプレーヤの心理に影響を与える表示が施されていることを特徴とするゴルフボールマーカ。
【考案の詳細な説明】
【技術分野】
【０００１】
本考案は、ゴルフ場のグリーン上でゴルフボールの位置をマークするゴルフボールマーカの技術分野に属するものである。
【背景技術】
【０００２】
一般に、この種ゴルフボールマーカは、円板形状をし、ゴルフボールがクリーンに乗ったとき、プレーヤが手にとったゴルフボールを再セットするときの目印となるもので、コイン（貨幣）を使用することもあるが、最近は、円板状に形成されたマーカの表面に、販売会社の名称やマークを施したものが市販されている。このようなマーカでは、使用するプレーヤにとってもせいぜい他人のマーカと区別する（名称等の相違による区別）程度しか意味も持たないというのが実情である。これに対し、後からパットするためグリーン上においたマーカが、先にパットするプレーヤのプレイの邪魔になることが有り、このような場合、所持するパターの長さ分、マーカを横にずらして邪魔にならないようにし、先のプレーヤがパットした後、横にずらしたマーカを元位置に移動させるが、このマーカの移動を積極的に促すための文字や図形をマーカに表示し、リプレイスすることを忘れないようにしたものがあるものがある（例えば、特許文献１参照。）。
【特許文献１】実公平６−３６３９号公報
【考案の開示】
【考案が解決しようとする課題】
【０００３】
しかしながらこのものは、横にずらしたボールをリプレイスしなければならない場合に限って有効なものであって表示を有効に活用できる頻度が少ないだけでなく、プレーヤにとって遊び心等の心理的な影響を与えるものでなく、ゴルフを、プレーしながらプレー以外で楽しむことに欠けるという問題が有り、ここに本考案が解決しようとする課題がある。
【課題を解決するための手段】
【０００４】
本考案は、上記の如き実情に鑑みこれらの課題を解決することを目的として創作されたものであって、請求項１の考案は、平板状に形成されたゴルフボールマーカにおいて、プレーヤの心理に影響を与える表示が施されていることを特徴とするゴルフボールマーカである。
請求項２の考案は、請求項１において、前記表示は、プレーヤを和ませるものであることを特徴とするゴルフボールマーカである。
請求項３の考案は、請求項１において、前記表示は、プレーヤの集中力を高めるものであることを特徴とするゴルフボールマーカである。
請求項４の考案は、請求項１において、前記表示は、他のプレーヤの集中力を低下させるものであることを特徴とするゴルフボールマーカである。
請求項５の考案は、請求項１乃至４の何れか一つにおいて、マーカは、帽子や衣服に設けられる取付け具に着脱自在に取り付けられる構成であることを特徴とするゴルフボールマーカである。
請求項６の考案は、請求項５において、取付け具にもプレーヤの心理に影響を与える表示が施されていることを特徴とするゴルフボールマーカである。
【考案の効果】
【０００５】
請求項１の考案とすることにより、マーカをセットしているあいだ本人あるいは一緒にプレーするプレーヤは、マーカになされているプレーヤの心理に影響を与える表示を読み取ることになり、これによって、マーカの表示を頻繁に活用でき、プレーヤにとって遊び心等の心理的な影響を与え、ゴルフを、プレーしながらプレー以外で楽しめるマーカとすることができる。
請求項２の考案とすることにより、プレーヤの心が和んでリラックスしたプレーができたりすることが期待できる。
請求項３の考案とすることにより、集中力を高めることが期待できる。
請求項４の考案とすることにより、相手プレーヤの集中力を低下させることが期待できる。
請求項５の考案とすることにより、マーカを失くしてしまうことを防止できると共に、マークしていないときであってもプレーヤの心理に影響を与えることができる。
請求項６の考案とすることにより、クラブハウスに戻ったりして被っている帽子をとったとき、取り付け具の表示を見ることでプレーヤーの心を和ませることができる。
【考案を実施するための最良の形態】
【０００６】
次に、本考案の実施の形態について、図面に基づいて説明する。図面において、１はゴルフボールマーカであって、該マーカ１は、表面２と裏面３とを有する円板状に形成されており、前記表面２には、プレーヤの心理に影響を与えるような表示４が施されている。因みに、本実施の形態のマーカ表面２には、「なんでやねん」４ａのように、その場を和ませるような文字が表示されているが、図３に示すように「一球入魂」４ｂ、「曲がるぞ！」４ｃ等プレーヤ自身の集中力を高めたり、「寄るな！」４ｄ、「ビビれ！」４ｅのように他のプレーヤの集中力を低下させたりするようなプレーヤ（本人だけでなく、一緒にプレーする人も含む）の心理に影響を与え、特にブラックユーモアのようなものである場合、プレーヤの遊び心の心理を醸し出すような文字を表示することもできる。尚、表示４は、文字に限られないことはもちろんであり、図形や色彩を表示したり、文字と図形とを組み合わせて表示することもできる。
【０００７】
また、５は前記マーカ１を着脱自在に磁着するためのクリップであって、該クリップ５は、鉄等の強磁性素材から構成され、表面にマーカ１の裏面３に止着した磁石３ａによってマーカ１を磁着できるようになっている。クリップ５には、プレーヤが着衣する帽子６の鍔部６ａ等に着脱自在に係止するためのフック５ａが設けられる。因みに、クリップ５は、本考案の取付け具に相当する。
尚、本考案は、マーカ１をクリップ５側に着脱自在に保持する構成としては、前記実施の形態とは逆に、クリップ５側に磁石を設けマーカ１を強磁性素材にすることによっても構成することができる。
【０００８】
叙述の如く構成された本考案の実施の形態において、プレーヤがグリーン上でプレーする場合、その前にマイボールを手に取ることが一般に行われるが、そのときマーカ１をボールの後側にセットしてからボールを手に取ることになる。そして自分がプレーするとき、セットしたマーカ１の前にボールを置き、マーカ１を手にとってクリップ５に磁着してからプレーすることになる。
【０００９】
このようにグリーン上でプレーする場合、マーカ１のセット、マーカの取除き操作をすることになるが、このあいだ、本人あるいは一緒にプレーするプレーヤは、マーカ１になされているプレーヤの心理に影響を与えるブラックユーモア的な表示４を読み取ることになり、これによって、プレーヤの心が和んでリラックスしたプレーができたりすることが期待でき、さらにマーカの表示を頻繁に活用でき、プレーヤにとって遊び心等の心理的な影響を与え、ゴルフを、プレーしながらプレー以外で楽しめるマーカとすることができる。
【００１０】
そしてこのものでは、異なる複数の表示４があるものを持参し、プレーしているときの心理状態に最も合うと思うもの、例えばパットがうまくいかないときに「なんでやねん」４ａと表示されているものを選択する等してプレーヤー自体の心が和むものとしてプレーを楽しむこともできる。
【００１１】
またさらに、前記表示４を「一球入魂」４ｂや「曲がるぞ！」４ｃとすることができ、プレーヤは、打順のまわって来た時にマーカ１の表示４ｂ、４ｃを見ることによって、集中力を高めることができる。さらにまた、前記表示４を「寄るな！」４ｄや「ビビれ！」４ｅとすることができ、マーカ１の表示４ｄ、４ｅを見ることによって、相手プレーヤの集中力を低下させることができる。
【００１２】
マーカ１は、裏面３に磁石３ａを有し、帽子６に設けられた金属性のクリップ５に着脱することができる設定になっており、マークしないときにクリップ５に取り付けておき、マーカ１を失くしてしまうことを防止できると共に、マークしていないときであってもプレーヤの心理に影響を与えることができる。
【００１３】
なお、クリップ５の表面に、例えば「お疲れ様」のような表示をすることもでき、このような場合、クラブハウスに戻ったりして被っている帽子をとったとき、この表示を見ることでプレーヤーの心を和ませることもできる。
【図面の簡単な説明】
【００１４】
【図１】（Ａ）、（Ｂ）はそれぞれマーカの正面図、背面図である。
【図２】（Ａ）、（Ｂ）、（Ｃ）はそれぞれクリップの正面図、背面図、側面図である。
【図３】（Ａ）、（Ｂ）、（Ｃ）、（Ｄ）はそれぞれ表示の他例を示すマーカの正面図である。
【図４】（Ａ）、（Ｂ）はそれぞれマーカ取付け前のクリップの斜視図、取り付け後のクリップの斜視図である。
【図５】マーカを取り付けた帽子の斜視図である。
【図６】マーカの表示の例示一覧である。
【符号の説明】
【００１５】
１    マーカ
２    表面
３    裏面
３ａ  磁石
４    表示
５    クリップ
５ａ  フック
６    帽子
６ａ  鍔部
【図１】
0003113395.tif 000003
【図２】
0003113395.tif 000004
【図３】
0003113395.tif 000005
【図４】
0003113395.tif 000006
【図５】
0003113395.tif 000007
【図６】
0003113395.tif 000008